(57)【要約】【課題】  周囲環境の音に応じてアクセサリ部材の移動部の移動速度及び移動加速度の少なくとも一方を設定することができる撮像装置を提供する。【解決手段】  レンズ部材２ａを介した被写体光を撮像する撮像素子１０と、周囲環境の音を検出する音検出部２０と、駆動源３４により移動可能な移動部２ａを有するアクセサリ部材２を着脱可能な装着部と、前記音検出部２０により検出された前記音に基づいて、前記アクセサリ部材２の移動部２ａを移動する際の第１移動速度及び第１移動加速度の少なくとも一方の設定値を設定する第１設定部１４と、前記第１設定部１４により設定された設定値に基づいて、前記アクセサリ部材２の前記移動部２ａの移動を制御する制御部１４とを有する。【選択図】  図２
2010197763.tif 000002
【特許請求の範囲】
【請求項１】
レンズ部材を介した被写体光を撮像する撮像素子と、
周囲環境の音を検出する音検出部と、
駆動源により移動可能な移動部を有するアクセサリ部材を着脱可能な装着部と、
前記音検出部により検出された前記音に基づいて、前記アクセサリ部材の移動部を移動する際の第１移動速度及び第１移動加速度の少なくとも一方の設定値を設定する第１設定部と、
前記第１設定部により設定された設定値に基づいて、前記アクセサリ部材の前記移動部の移動を制御する制御部と、
を有することを特徴とする撮像装置。
【請求項２】
前記音検出部は、前記音の大きさを検出することを特徴とする請求項１記載の撮像装置。
【請求項３】
前記音検出部は、前記移動部が移動している間、前記音を検出しないことを特徴とする請求項１または請求項２記載の撮像装置。
【請求項４】
前記第１設定部は、前記移動部が移動している間、前記第１移動速度及び前記第１移動加速度を設定しないことを特徴とする請求項１〜請求項３の何れか一項に記載の撮像装置。
【請求項５】
電源部の電圧を検出する電圧検出部と、
前記電圧検出部により検出された前記電圧に基づいて、前記移動部が移動する際の第２移動速度及び第２移動加速度の少なくとも一方の設定値を設定する第２設定部と、を更に備え、
前記制御部は、前記第１設定部及び前記第２設定部により設定された設定値のうちの何れかに基づいて、前記移動部の移動を制御することを特徴とする請求項１〜請求項４の何れか一項に記載の撮像装置。
【請求項６】
前記制御部は、前記第１移動速度と前記第２移動速度との何れか小さい方の速度、及び前記第１移動加速度と前記第２移動加速度との何れか小さい方の加速度の少なくとも一方で、前記移動部を移動させることを特徴とする請求項５記載の撮像装置。
【請求項７】
前記装着部は、前記レンズ部材を着脱可能なレンズマウント部であり、
前記アクセサリ部材は、前記レンズ部材であり、
前記移動部は、該レンズ部材内で光軸方向に移動可能なレンズであり、
前記第１設定部は、前記音に基づいて、前記レンズ部材の光軸方向への第１移動速度及び第１移動加速度の少なくとも一方の設定値を設定し、
前記制御部は、前記第１設定部により設定された前記設定値に基づいて、前記レンズ部材の光軸方向への移動を制御することを特徴とする請求項１〜請求項６の何れか一項に記載の撮像装置。
【請求項８】
前記被写体を検知するために前記レンズが移動する速度と、焦点位置合わせのために前記レンズが移動する速度とが異なることを特徴とする請求項７記載の撮像装置。
【請求項９】
前記被写体を検知するために前記レンズが移動する速度と、焦点位置合わせのために前記レンズが移動する速度とが同一であることを特徴とする請求項７記載の撮像装置。
【請求項１０】
前記装着部は、撮影用の照明光を発光可能な照明装置を装着するホットシューであり、前記アクセサリ部材は、前記照明装置であり、
前記移動部は、該照明装置倍で発光光軸方向に移動可能な光源であり、
前記第１設定部は、前記音に基づいて、前記光源の発光光軸方向への第１移動速度及び第１移動加速度の少なくとも一方の設定値を設定し、
前記制御部は、前記第１設定部により設定された前記設定値に基づいて、前記光源の前記発光光軸方向への移動を制御することを特徴とする請求項１〜請求項６の何れか一項に記載の撮像装置。
【請求項１１】
前記アクセサリ部材に対して前記制御部からの制御信号を出力する信号出力部を備えることを特徴とする請求項１〜請求項１０の何れか一項に記載の撮像装置。
【請求項１２】
撮像装置に着脱可能なカメラ用アクセサリであって、
駆動源により移動可能な移動部と、
周囲環境の音を検出する音検出部と、
前記音検出部により検出された前記音に基づいて、前記移動部が移動する際の第１移動速度及び第１移動加速度の少なくとも一方の設定値を設定する第１設定部と、
前記第１設定部による設定値に基づいて、前記移動部の移動を制御する制御部と、
を備えることを特徴とするカメラ用アクセサリ。
【請求項１３】
前記音検出部は、前記音の大きさを検出することを特徴とする請求項１２記載のカメラ用アクセサリ。
【請求項１４】
前記音検出部は、前記移動部が移動している間、前記音を検出しないことを特徴とする請求項１２または請求項１３記載のカメラ用アクセサリ。
【請求項１５】
前記第１設定部は、前記移動部が移動している間、前記第１移動速度及び前記第１移動加速度を設定しないことを特徴とする請求項１２〜請求項１４の何れか一項に記載のカメラ用アクセサリ。
【請求項１６】
電源部の電圧を検出する電圧検出部と、
前記電圧検出部により検出された前記電圧に基づいて、前記移動部が移動する際の第２移動速度及び第２移動加速度の少なくとも一方の設定値を設定する第２設定部と、を更に備え、
前記制御部は、前記第１設定部及び前記第２設定部により設定された設定値のうちの何れかに基づいて、前記移動部の移動を制御することを特徴とする請求項１２〜請求項１５の何れか一項に記載のカメラ用アクセサリ。
【請求項１７】
前記制御部は、前記第１移動速度と前記第２移動速度との何れか小さい方の速度、及び前記第１移動加速度と前記第２移動加速度との何れか小さい方の加速度の少なくとも一方で、前記移動部を移動させることを特徴とする請求項１６記載のカメラ用アクセサリ。
【請求項１８】
前記カメラ用アクセサリは、レンズ部材であり、
前記移動部は、前記レンズ部材内で光軸方向に移動可能なレンズであり、
前記第１設定部は、前記音に基づいて、前記レンズ部材の光軸方向への第１移動速度及び第１移動加速度の少なくとも一方の設定値を設定し、
前記制御部は、前記第１設定部により設定された前記設定値に基づいて、前記レンズ部材の光軸方向への移動を制御することを特徴とする請求項１２〜請求項１７の何れか一項に記載のカメラ用アクセサリ。
【請求項１９】
前記被写体を検知するために前記光軸方向に前記レンズが移動する速度と、焦点位置合わせのために前記光軸方向に前記レンズが移動する速度とが異なることを特徴とする請求項１８記載のカメラ用アクセサリ。
【請求項２０】
前記カメラ用アクセサリは、撮影用の照明光を発光可能な照明装置であり、
前記移動部は、前記照明装置内で発光光軸方向に移動可能な光源であり、
前記第１設定部は、前記音に基づいて、前記光源の発光光軸方向への第１移動速度及び第１移動加速度の少なくとも一方の設定値に設定し、
前記制御部は、前記第１設定部により設定された前記設定値に基づいて、前記光源の前記発光光軸方向への移動を制御することを特徴とする請求項１２〜請求項１７の何れか一項に記載のカメラ用アクセサリ。
【発明の詳細な説明】
【技術分野】
【０００１】
本発明は、撮像装置及びカメラ用アクセサリに関するものである。
【背景技術】
【０００２】
静止画像を撮像する静止画撮影時には撮影レンズを駆動するアクチュエータに対して非静音（高速）で駆動するよう指示し、動画像及び音を記録する動画撮影時には撮影レンズを駆動するアクチュエータに対して静音（低速）で駆動するよう指示する撮像装置が提案されている（例えば、特許文献１参照）。
【先行技術文献】
【特許文献】
【０００３】
【特許文献１】特開２００７−６３０５号公報
【発明の概要】
【発明が解決しようとする課題】
【０００４】
ところで、特許文献１記載の撮像装置においては、例えば周囲で物音がしない等、極力音を出さずに撮像する必要がある場合に、撮影レンズを高速で駆動させてしまうと大きい音が発生して周囲の迷惑になる虞があるという問題があった。また、例えば周囲が騒がしい等、撮影レンズの駆動に伴う音が気にならない中で撮像する場合、撮影レンズを高速で駆動させてよいにもかかわらず、撮影レンズを静音（低速）で駆動させると（特に動画などの録音を伴う撮像の場合は、レンズ駆動音を記録してしまうことを恐れて低速駆動させることがあると）、フォーカス位置合せ等に無用な時間を費やす場合があった。
【０００５】
本発明の目的は、周囲環境の音に応じて、アクセサリ部材の移動部の移動速度及び移動加速度の少なくとも一方を最適化することができる撮像装置及びカメラ用アクセサリを提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮像装置は、レンズ部材（２ａ）を介した被写体光を撮像する撮像素子（１０）と、周囲環境の音を検出する音検出部（２０）と、駆動源（３４）により移動可能な移動部（２ａ）を有するアクセサリ部材（２）を着脱可能な装着部と、前記音検出部（２０）により検出された前記音に基づいて、前記アクセサリ部材（２）の移動部（２ａ）を移動する際の第１移動速度及び第１移動加速度の少なくとも一方の設定値を設定する第１設定部（１４）と、前記第１設定部（１４）により設定された設定値に基づいて、前記アクセサリ部材（２）の前記移動部（２ａ）の移動を制御する制御部（１４）とを有することを特徴とする。
【０００８】
また、本発明のカメラ用アクセサリは、撮像装置に着脱可能なカメラ用アクセサリであって、駆動源により移動可能な移動部と、周囲環境の音を検出する音検出部と、前記音検出部により検出された前記音に基づいて、前記移動部が移動する際の第１移動速度及び第１移動加速度の少なくとも一方の設定値を設定する第１設定部と、前記第１設定部による設定値に基づいて、前記移動部の移動を制御する制御部とを備えることを特徴とする。
【発明の効果】
【０００９】
本発明の撮像装置及びカメラ用アクセサリによれば、周囲環境の音に応じて、アクセサリ部材の移動部の移動速度及び移動加速度の少なくとも一方を最適化することができる。
【図面の簡単な説明】
【００１０】
【図１】実施の形態に係る電子カメラの外観を示す斜視図である。
【図２】実施の形態に係る電子カメラ及びレンズユニットのシステム構成を示すブロック図である。
【図３】実施の形態に係る電子カメラにより静止画像を撮像する際の電子カメラ及びレンズユニットが行う処理について説明するためのフローチャートである。
【図４】撮影レンズの移動速度の設定値を設定する際の処理について説明するためのフローチャートである。
【図５】音の大きさと第１移動速度との関係を示すグラフである。
【図６】被写体の明るさとスキャン移動上限速度との関係を示すグラフである。
【図７】照明装置のシステム構成を示すブロック図である。
【発明を実施するための形態】
【００１１】
以下、図面を参照して、実施の形態に係る撮像装置としての電子カメラについて説明する。図１は、実施の形態に係る電子カメラ１の外観を示す斜視図である。図１に示すように、電子カメラ１の照明中央部には、電子カメラ１本体のレンズマウント部（図示せず）に対して着脱可能なレンズユニット２が装着されている。レンズユニット２は、レンズユニット２内で光軸方向に移動可能な撮影レンズ２ａを備えており、撮影レンズ２ａは、被写体からの光をカメラ内部に導く。また、電子カメラ１の上面には、静止画像の撮像を指示する際に操作されるレリーズボタン３、撮影レンズ２ａの移動速度を手動により増加させるアップボタン４、撮影レンズ２ａの移動速度を手動により減少させるダウンボタン５、撮影モードを切り替える際に操作される撮影モードダイアル６が設けられている。また、電子カメラ１の正面には、動画像を記録する際に動画像と共に記録される音声等の周囲環境の音を集音するマイク７が設けられている。
【００１２】
図２は、実施の形態に係る電子カメラ１及びレンズユニット２のシステム構成を示すブロック図である。図２に示すように、電子カメラ１は、撮像素子１０、信号処理部１２、制御部１４、記録媒体１６、操作部１８、音検出部２０、電源部２２、電源電圧検出部２４、及び通信部２６を備えている。撮像素子１０は、ＣＣＤまたはＣＭＯＳ等により構成され、撮影レンズ２ａを介した被写体光を撮像して撮像信号を信号処理部１２に対して出力する。撮像素子１０から出力される撮像信号は、信号処理部１２においてアナログ信号からデジタル信号に変換され、制御部１４に対して出力される。
【００１３】
制御部１４は、マイクロプロセッサ等により構成され、電子カメラ１の各部を統括的に制御する。制御部１４は、信号処理部１２から出力されるデジタル信号の画像データに対して各種の画像処理（ホワイトバランス調正、色補正、階調補正等）を行い、画像処理された画像データを撮影日時、露出等の撮影に関する情報と共に、Ｅｘｉｆ（Ｅｘｃｈａｎｇａｂｌｅ  ｉｍａｇｅ  ｆｉｌｅ  ｆｏｒｍａｔ）等の所定の形式で、図示しないバッファメモリに一時的に記憶させる。
【００１４】
記録媒体１６は、電子カメラ１に設けられたカードスロット（図示せず）に着脱可能に装着される可搬性を有する記録媒体であり、例えば、ＣＦカード、ＳＤカード、スマートメディア等が用いられる。記録媒体１６には、制御部１４によりバッファメモリから読み込まれた画像データ及び画像データに付加される撮影に関する情報等が記録される。また、記録媒体１６には、マイク７により集音された音が記録される。
【００１５】
操作部１８は、電源をオン／オフする電源スイッチ（図示せず）、図１に示すレリーズボタン３、アップボタン４、ダウンボタン５、撮影モードダイアル６等を含んで構成されている。音検出部２０は、マイク７により集音された音の大きさを検出し、検出結果を制御部１４に対して出力する。電源部２２は、電子カメラ１の各部、及び電子カメラ１に装着されているレンズユニット２の各部に対して給電する。電源電圧検出部２４は、電源部２２の電圧値を検出し、検出結果を制御部１４に対して出力する。通信部２６は、電子カメラ１にレンズユニット２が装着されている際に、レンズユニット２の通信部３０（後述する）と通信を行う。例えば、電子カメラ１（制御部１４）は、通信部２６から通信部３０を介してレンズユニット２に対して信号を送信し、通信部３０から通信部２６を介してレンズユニット２から送信される信号を受信する。
【００１６】
また、図２に示すように、レンズユニット２は、制御部３０、通信部３２、及びレンズ駆動部３４を備えている。制御部３０は、マイクロプロセッサ等により構成され、レンズユニット２の各部を統括的に制御する。通信部３２は、電子カメラ１にレンズユニット２が装着されている際に、電子カメラ１の通信部２６と通信を行う。即ち、レンズユニット２（制御部３０）は、通信部３２から電子カメラ１の通信部２６を介して電子カメラ１に対して信号を送信し、通信部２６から通信部３２を介して電子カメラ１から送信される信号を受信する。レンズ駆動部３４は、制御部３０による制御に従い、撮影レンズ２ａを光軸方向に移動させる。
【００１７】
次に、図３に示すフローチャートを参照して、実施の形態に係る電子カメラ１により静止画像を撮像する際の電子カメラ１及びレンズユニット２が行う処理について説明する。
【００１８】
まず、図３に示すように、電子カメラ１の制御部１４は、ユーザーによりレリーズボタン３が半押しされたことを認識すると（ステップＳ１０）、被写体を検知するために撮影レンズ２ａが移動する速度、及び焦点位置合わせのために撮影レンズ２ａが移動する速度の設定値を設定する（ステップＳ１１）。
【００１９】
図４は、撮影レンズ２ａの移動速度の設定値を設定する際の処理について説明するためのフローチャートである。まず、制御部１４は、マイク７により集音された周囲環境の音に基づいて音検出部２０により検出される音の大きさを取得する（ステップＳ３０）。次に、制御部１４は、ステップＳ３０において取得した音の大きさに基づいて、撮影レンズ２ａの移動速度（第１移動速度という）を設定する（ステップＳ３１）。第１移動速度を速くすると、より早く被写体の検知及び焦点位置合わせを行うことができるが、撮影レンズ２ａが移動する際に発する音は大きくなる。一方、第１移動速度を遅くすると、撮影レンズ２ａが移動する際に発する音は小さくなるが、被写体の検知及び焦点位置合わせを行う際に多くの時間を要する。したがって、図５のグラフに示すように、音検出部２０により検出された音の大きさＳが０≦Ｓ≦Ｓ１のときには、制御部１４は、周囲環境の音が小さいため撮影レンズ２ａが移動する際に大きい音を発するべきでないと判断し、第１移動速度Ｖを、撮影レンズ２ａが移動する際に発する音を最小限に抑えることができる速度Ｖ１に設定する。同様に、音の大きさＳがＳ１＜Ｓ＜Ｓ２のときには、周囲環境の音に合わせて第１移動速度ＶをＶ１＜Ｖ＜Ｖ２に設定し、音の大きさＳがＳ２≦Ｓのときには、周囲環境の音が大きいため撮影レンズ２ａが移動する際に大きい音を発してよいと判断し、第１移動速度Ｖを、最も早く被写体の検知及び焦点位置合わせを行うことができる速度Ｖ２に設定する。
【００２０】
なお、ステップＳ３１では、音検出部２０による検出結果に基づいて、自動で第１移動速度を設定しているが、ユーザーがアップボタン４及びダウンボタン５の何れか一方を操作することにより手動で第１移動速度を設定することもできる。具体的には、ユーザーはアップボタン４を少なくとも１回押下することにより第１移動速度を段階的に早く設定することができ、ダウンボタン５を少なくとも１回押下することにより第１移動速度を段階的に遅く設定することができる。
【００２１】
次に、制御部１４は、電源電圧検出部２４により検出される電源部２２の電圧値を取得する（ステップＳ３２）。次に、制御部１４は、ステップＳ３２において取得した電圧値に基づいて、撮影レンズ２ａの移動速度（第２移動速度という）を設定する（ステップＳ３３）。即ち、電源電圧検出部２４により検出された電圧値が大きい場合には、撮影レンズ２ａを移動させるために多く給電することができるため、第２移動速度を速く設定することができる。一方、電源電圧検出部２４により検出された電圧値が小さい場合には、撮影レンズ２ａを移動させるために多く給電することができないため、第２移動速度を遅く設定する必要がある。したがって、電源部２２から受けることができる給電の上限値から撮影レンズ２ａの上限移動速度を求め、求めた上限移動速度を第２移動速度として設定する。
【００２２】
次に、制御部１４は、ステップＳ３１において設定した第１移動速度及びステップＳ３３において設定した第２移動速度を比較し（ステップＳ３４）、第１移動速度と第２移動速度との何れか小さい方の速度を選択する（ステップＳ３５）。そして、制御部１４は、ステップＳ３５において選択された速度を、被写体を検知するために撮影レンズ２ａが移動する速度、及び焦点位置合わせのために撮影レンズ２ａが移動する速度の設定値として設定する（ステップＳ１１）。次に、制御部１４は、ステップＳ１１において設定した移動速度の設定値の情報及び撮影レンズ２ａの移動開始の指示を、通信部２６を介して、レンズユニット２に送信する（ステップＳ１２）。
【００２３】
レンズユニット２の制御部３０は、通信部３２を介して、電子カメラ１から撮影レンズ２ａの移動速度の設定値の情報及び撮影レンズ２ａの移動開始の指示を受信する（ステップＳ２０）。次に、制御部３０は、ステップＳ２０において電子カメラ１から受信した撮影レンズ２ａの移動速度の設定値に基づいて、撮影レンズ２ａの移動速度を決定する（ステップＳ２１）。具体的には、被写体を検知するために撮影レンズ２ａをスキャン移動させる際の移動速度（スキャン移動速度という）、及び被写体を検知した後焦点位置合わせのために撮影レンズ２ａを調整移動させる際の移動速度（調整移動速度という）をそれぞれ決定する。
【００２４】
まず、スキャン移動速度を決定する。撮像素子１０による暗い被写体光の電荷への変換と蓄積は、明るい被写体光のそれより時間を要するため、被写体の明るさによりスキャン移動の速度を調整する必要がある。例えば、図６のグラフに示すように、被写体の明るさに応じた光電変換に要する時間を考慮したスキャン移動の上限速度が設けられている。したがって、レンズユニット２の制御部３０は、電子カメラ１から被写体の明るさに対するスキャン移動の上限速度に関する情報を受信し、受信した被写体の明るさに対するスキャン移動の上限速度、ステップＳ２０において電子カメラ１から受信した撮影レンズ２ａの移動速度の設定値、及びレンズユニット２において出し得る撮影レンズ２ａの上限速度の中で、最も小さい速度を撮影レンズ２ａのスキャン移動速度に決定する。
【００２５】
次に、調整移動速度を決定する。調整移動するときには、撮像素子１０による光電変換に要する時間等の制約がないため、ステップＳ２０において電子カメラ１から受信した撮影レンズ２ａの移動速度の設定値と、レンズユニット２において出し得る撮影レンズ２ａの上限速度とを比較し、何れか小さい方を撮影レンズ２ａの調整移動速度に決定する。
【００２６】
なお、被写体の明るさに対するスキャン移動の上限速度がスキャン移動速度に決定されると、スキャン移動速度と調整移動速度とは異なるが、スキャン移動速度が被写体の明るさに対するスキャン移動の上限速度でない場合には、スキャン移動速度及び調整移動速度は同一となる。また、レンズユニット２において撮影レンズ２ａのスキャン移動速度及び調整移動速度を決定しているが、電子カメラ１において撮影レンズ２ａのスキャン移動速度及び調整移動速度を決定することもできる。この場合には、レンズユニット２は、電子カメラ１に対してレンズユニット２において出し得る撮影レンズ２ａの上限速度に関する情報を送信する。
【００２７】
次に、制御部３０は、電子カメラ１の移動開始指示に従い、レンズ駆動部３４を介して、ステップＳ２１において決定したスキャン移動速度で撮影レンズ２ａを光軸方向に移動させ、被写体を検知し、被写体を検知した後、ステップＳ２１において決定した調整移動速度で撮影レンズ２ａを光軸方向に移動させ、焦点位置合わせを行う（ステップＳ２２）。そして、制御部３０は、通信部３２を介して、電子カメラ１に対してスキャン移動及び調整移動を終了したことを示す情報を送信する（ステップＳ２３）。
【００２８】
電子カメラ１の制御部１４は、レンズユニット２の制御部３０がステップＳ２０〜Ｓ２３の処理を行っている間、音検出部２０に対してマイク７により集音された音の大きさを検出しないよう指示する（ステップＳ１３）。即ち、撮影レンズ２ａが移動している間、撮影レンズ２ａの移動速度の設定値を設定しない。具体的には、制御部１４は、ステップＳ１２においてレンズユニット２に対して撮影レンズ２ａの移動開始の指示を送信した時点で、撮影レンズ２ａが移動を開始したと判断し、音検出部２０に対して音の大きさを検出しないよう指示する（ステップＳ１３）。そして、通信部２６を介して、レンズユニット２からスキャン移動及び調整移動を終了したことを示す情報を受信（ステップＳ１４）した時点で、撮影レンズ２ａが移動を終了したと判断し、音検出部２０に対して音の大きさの検出を再開するよう指示する（ステップＳ１５）。
【００２９】
なお、撮影レンズ２ａの移動速度の設定値の情報を送信したときを撮影レンズ２ａの移動開始と判断しているが、例えば、レンズユニット２が移動開始を示す情報を電子カメラ１に対して送信してもよく、この場合には、レンズユニット２から移動開始を示す情報を受信した時点で撮影レンズ２ａが移動開始したと判断する。また、レンズユニット２からスキャン移動及び調整移動を終了したことを示す情報を受信したときを撮影レンズ２ａの移動終了と判断しているが、例えば、レンズユニット２からオートフォーカス終了を示す信号を受信した時点で撮影レンズ２ａが移動終了したと判断することもできる。
【００３０】
次に、制御部１４は、レリーズボタン３の全押しを許可し（ステップＳ１６）、ユーザーによりレリーズボタン３が全押しされたことを認識すると、撮像素子１０により被写体光を撮像する（ステップＳ１７）。撮像された検知するために撮影レンズ２ａが移動する速度、及び焦点位置合わせのために撮影レンズ２ａが移動する速度の設定値を設定する（ステップＳ１１）。撮像素子１０により撮像され、信号処理部１２を介し、各種画像処理を施された画像データは、記録媒体１６に記録される。
【００３１】
なお、静止画像を撮像する際の処理について説明したが、動画像を撮像する際にも同様の処理を行う。動画像を撮像する際には、まず、ユーザーは図示しないライブビューボタン等を押下し、図示しない液晶パネル等の表示部にライブビュー画像を表示させ、レリーズボタン３を半押しする。制御部１４は、レリーズボタン３の半押しを認識すると、図３に示す一連の処理を実行する。そして、撮影レンズ２ａが移動を終了した後、ユーザーにより図示しないＯＫボタンが押下されることにより動画像の記録を開始し、再度ＯＫボタンが押下されると動画像の記録を終了する。
【００３２】
この実施の形態に係る電子カメラ１によれば、周囲環境の音の大きさに応じて撮影レンズ２ａの移動速度を最適化することができる。即ち、周囲環境の音が大きい場合には撮影レンズ２ａを速く移動させることにより被写体検知と焦点合わせを迅速に行うことができ、周囲環境の音が小さい場合には撮影レンズ２ａを比較的ゆっくり移動させることにより撮影レンズ２ａが移動する際に発する音を最小限に抑えることができる。
【００３３】
なお、この実施の形態においては、電子カメラ１にマイク７及び音検出部２０を設けているが、レンズユニット２にマイク及び音検出部を設け、レンズユニット２において第１移動速度の設定を行うこともできる。また、電子カメラ１に電源電圧検出部２４を設けているが、レンズユニット２に電源電圧検出部を設け、レンズユニット２において第２移動速度の設定を行うこともできる。また、レンズユニット２にマイク、音検出部及び電源電圧検出部を設けた場合には、撮影レンズ２ａの移動速度に関する処理をすべてレンズユニット２において行うことができる。この場合には、電子カメラ１とレンズユニット２との間で通信を行う必要がないため、より迅速に被写体検知及び焦点位置合わせを行うことができる。
【００３４】
また、この実施の形態においては、レンズユニットが着脱可能に構成されている電子カメラについて説明したが、コンパクトカメラ等、撮影レンズ一体型の電子カメラについても本発明を適用することができる。この場合には、レンズユニットが存在しないため、撮影レンズの移動速度に関する処理のすべてを電子カメラにおいて行う。
【００３５】
また、この実施の形態においては、カメラ用アクセサリとしてレンズユニット２を例に挙げて説明しているが、カメラ用アクセサリとしての照明装置についても本発明を適用することができる。例えば、図１に示す電子カメラ１の上部中央位置に、撮影用の照明光を発光可能な照明装置を装着するためのホットシューを設け、ホットシューに照明装置が装着されている場合について説明する。図７は、電子カメラ１に装着される照明装置４０のシステム構成を示すブロック図である。図７に示すように、照明装置４０は、照明装置４０の各部を統括的に制御する制御部４２、電子カメラ１の通信部２６と通信を行う通信部４４、照明装置４０に給電するための電源部４６、電源部４６の電圧値を検出する電源電圧検出部４７、照明光を発し、発光光軸方向に移動可能な発光部４８、発光部４８を発光光軸方向に移動させる駆動部５０を備えている。電源電圧検出部４７は、電源部４６の電圧値を制御部４２に対して出力し、制御部４２は、通信部４４を介して、電子カメラ１に対して電源部４６の電圧値に関する情報を送信する。電子カメラ１は、送信された電源部４６の電圧値に関する情報から電源部４６の電圧値を取得する。なお、電子カメラ１の電源部２２から給電を受ける照明装置を備えることもできる。
【００３６】
そして、図３及び図４のフローチャートに示す処理と同様の処理を行うことにより、電子カメラ１は発光部４８の移動速度を制御する。即ち、周囲環境の音の大きさ及び電源部４６の電圧値に基づいて、発光部４８の移動速度を決定し、決定した移動速度で駆動部５０を介して発光部４８を発光光軸方向に移動させる。
【００３７】
また、照明装置４０にマイク及び音検出部を設け、照明装置４０において第１移動速度の設定を行うこともできる。また、照明装置４０において第２移動速度の設定を行うこともできるため、発光部４８の移動速度に関する処理をすべて照明装置４０において行うことができる。この場合には、電子カメラ１と照明装置４０との間で通信を行う必要がないため、より静音かつ迅速に被写体検知及び焦点位置合わせを行うことができる。
【００３８】
なお、上述の実施の形態においては、撮影レンズ２ａ（発光部４８）の移動速度を制御しているが、同様の処理を行うことにより撮影レンズ２ａ（発光部４８）の移動加速度を制御することができる。また、撮影レンズ２ａ（発光部４８）の移動速度及び移動加速度の両方を制御することもできる。
【００３９】
また、上述の実施の形態においては、音の大きさに基づいて撮影レンズ２ａ（発光部４８）の移動速度を設定しているが、音の周波数に基づいて撮影レンズ２ａ（発光部４８）の移動速度を設定することもできる。例えば、異なる撮影シーンにおいて、周囲環境の音の大きさに差異がなくとも音の周波数成分にそれぞれ特徴が表れる場合がある。したがって、想定できる撮影シーン毎の音の周波数帯域に関する情報及び周波数帯域に基づく撮影レンズ２ａ（発光部４８）の上限速度に関する情報を予め図示しないメモリ等に記憶させておき、マイク７により集音された音の周波数を検出し、検出結果から撮影レンズ２ａ（発光部４８）の移動速度の設定値を設定することもできる。
【符号の説明】
【００４０】
１…電子カメラ、２…レンズユニット、２ａ…撮影レンズ、３…レリーズボタン、４…アップボタン、５…ダウンボタン、６…、７…マイク、１０…撮像素子、１２…信号処理部、１４…制御部、１６…記録媒体、１８…操作部、２０…音検出部、２２…電源部、２４…電源電圧検出部、２６…通信部、３４…レンズ駆動部、４０…照明装置。
【図１】
2010197763.tif 000003
【図２】
2010197763.tif 000004
【図３】
2010197763.tif 000005
【図４】
2010197763.tif 000006
【図５】
2010197763.tif 000007
【図６】
2010197763.tif 000008
【図７】
2010197763.tif 000009